Podtech/llm-jp-corpus-v4-ja_patent huggingface dataset:
(57)【要約】      （修正有）【課題】用済みプラスチック容器の体積を減ずる為に、飛散させないよう箱の中で切断圧縮し、リサイクルに寄与できる器具を提供する。【解決手段】上の箱４の中に垂直にセットされ、手動ハンドル５でシャフト３を介して回転する押し付刃２と受刃１とを備える切断機を設置し、更に、下の引き出し６の中に、足踏みペダルでシャフト７を介して、垂直状態から水平まで倒せる圧縮板を備える圧縮器を設置した、用済み食品プラスチック容器切断圧縮器。【選択図】図１
2017192928.tif 000002
【特許請求の範囲】
【請求項１】
箱の中に切断器をセットして、上から用済みプラスチック容器を投入し、外から人力で切断器を回転させ細断して、下の引き出しに落し、セットされていた圧縮器を外から足踏みペダルで９０°回転し、その物を圧縮し、体積を更に減ずることを目的とした、用済み食品プラスチック容器を細断圧縮する器具。
【発明の詳細な説明】
【技術分野】
【０００１】本発明は、家庭からの用済みプラスチック容器を、箱の中で、人力により切断圧縮し嵩を減らし、リサイクルの向上に貢献しようとしたものである。
【背景技術】
【０００２】従来、用済み食品プラスチック容器は、そのままの形で指定袋に入れられて、行政の指定場所に出されていた。
【先行技術文献】
【特許文献】
【０００３】
【特許文献１】
【発明の概要】
【発明が解決しようとする課題】
【０００４】用済みプラスチック容器は、家庭でリサイクル袋にそのまま破棄しても、空隙多く嵩張りたちまち満杯。すぐに次の袋を必要とする。収集業者は実質中身の効率悪い。行政は余計な産廃処理費用を、計上せざるを得なかった。本発明は、この３者３様の課題を、解決する為になされたものである。
【課題を解決するための手段】
【０００５】箱の中に切断用の受刃（１）、押し付刃（２）、シャフト（３）、箱（４）の外にハンドル（５）、引き出し（６）の中に圧縮用の圧縮版（７）、シャフト（８）、引出しの外に足踏ペダル（９）。本発明は以上の構成による用済み食品プラスック容器切断圧縮器である。
【発明の効果】
【０００６】電力、ガス、薬品等、使用せずに、人力でこの器具を動かして、嵩張る用済み食品プラスチック容器が細分化されたことで、家庭では扱い易く袋の数を節約できる。収集業者は経済成果を得られる。行政は処理費用支出を低く抑えられる。
【図面の簡単な説明】
【０００７】
【図１】本発明の全体の斜視図である。
【図２】本発明の切断機の斜視図である。
【図３】本発明の圧縮機の斜視図である。
【発明を実施するための形態】
【０００８】以下、本発明を実施するための形態について説明する。鉄板又は硬質プラスチックの材（巾数ｃｍ位、長さ３０ｃｍ位、厚さ数ｍｍ位）の板の長手側面に刀剣状の刃を設けた受刃（１）の巾長さの中芯の腹に穴を明け受刃を上向きに水平にし、シャフト（３）を貫通させる溶接はしない。  次にシャフト（３）に押し付刃（２）（長さ受け刃１／２以下、巾３ｃｍ．位、厚さ数ｍｍ位）を溶接する。交互に数回くり返す。このできた物を箱（４）に受け刃を水平に、押し付刃を垂直にセットする。箱の外からシャフト（３）に連結された手動ハンドル（５）で、垂直状態の押し付刃（２）を回転させ、受け刃（１）の間に押し入れる。この動作により受け刃（１）の上に落されていた用済み食品プラスチック容器は、細断されて下に落ちる。落ちた場所は引き出し（６）の中である。引き出しの中では、シャフト（７）に溶接された垂直状態の圧縮板（８）を引き出しの外にあるシャフトに連結された足踏みペダル（９）で水平まで倒して、細断されたプラスチックを圧縮する。以上用済み食品プラスチック容器は箱の上から破棄され、細断、圧縮をくり返し、たまったプラスチックを引き出して、ゴミ指定袋に間隙なく詰めて、行政指定場所へ出され収集搬送され、適切に処理される。本発明は以上のような構造である。
【符号の説明】
【０００９】１．受刃
２．押し付刃
３．切断シャフト
４．箱
５．手動ハンドル
６．引出し
７．圧縮シャフト
８．圧縮板
９．足踏ペダル
【図１】
2017192928.tif 000003
【図２】
2017192928.tif 000004
【図３】
2017192928.tif 000005
(57)【要約】【課題】  串を打った手羽元串の効果あるいは付加価値は比較的安く、５〜１５円程度と考えられるが、手羽元をドリルで穴を開け手刺しで串を通すとなると人件費コストに見合わないこととなり、効率化の為に串刺し機を使った生産による量産化が課題となっている。【解決手段】  鳥手羽元肉の骨に円錐型ドリルで入口部分は大きく骨の中程は小さく穴を開けることで、入口部分は多少の誤差があっても通しやすく、骨の中程でピッタリと保持されて抜けにくい状態を作り易く、機械化、量産化が可能となる。【選択図】  図１
2017192345.tif 000002
【特許請求の範囲】
【請求項１】
円錐型ドリルを使い骨の入口部分は大きく、骨の中程は細く穴を開けることで、木、竹、プラスチックよりなる串、箸を刺しやすく、しかも串が骨の中程でしっかりと固定されるという特徴を持った鳥手羽元肉とその加工品及びその製造法。
【請求項２】
鳥手羽元肉の中心にある骨の一端又は両端に穴を開け、棒状の持ち手部材を前記穴より前記骨の内部に串刺し機によって挿通す事が可能となることを特徴とする請求項１記載の鳥手羽元肉とその加工品及びその製造法。
【発明の詳細な説明】
【技術分野】
【０００１】
本発明は、骨付の鳥手羽元肉にある骨の内部に棒状の持ち手部材を挿通させた鳥手羽元肉加工品及びその製造方法に関する。
【背景技術】
【０００２】
鳥手羽元肉は通常、関節部分より分離されて、から揚げ、煮込み、燻製等の各種方法にて調理されている。
【０００３】
鳥手羽元肉はその形態から、箸やフォークでは食べにくく、そのまま直接持って食べると手が汚れてしまうため敬遠されがちである。
【先行技術文献】
【特許文献】
【０００４】
特開平８−１４０５６１号公報
【発明の開示】
【発明が解決しようとする課題】
【０００５】
本発明は、鳥手羽元肉に串を打って食べやすく加工した手羽元肉の加工効果あるいは付加価値は、一本当たり５〜１５円程度と考えられるが、骨に穴を開けその上で串を手挿しで打つとなると採算がとれなくなって商品化の障害となっており、串打ちの機械化、自動化を行ってコストダウンをする事が課題となっている。
【０００６】
手羽元肉の骨に穴を開ける場合、特に骨の細い方から穴を開ける場合は、入口を４〜５ｍｍの穴を開けるドリルでは骨の中間部分を大きく広げてしまうか、骨を破損してしまい、串を打った時に骨の中で串がしっかりと固定できないという課題があった。
【０００７】
細いドリル刃２〜３ｍｍではピンポイントで串を打たねばならず、串打ちに時間と手間がかかり、串打ち機では穴にピッタリと串を打つ事は難しいという課題があった。
【課題を解決するための手段】
【０００８】
鳥手羽元肉の穂円の先端部から円錐型ドリルで穴を開けることで、串刺しの入口部分は大きく開け骨の中間部分は３〜３．５ｍｍとなり中間部分まで串を挿通することで串をしっかりと保持させて課題を解決する。
【０００９】
鳥手羽元肉の骨の先端部の穴が４〜５ｍｍあるために、串打ち機の誤差があっても串打ちが可能となる。
【発明の効果】
【００１０】
製造コストがかかることで商品化が難しかった手羽元串を持ちやすく、食べやすく、調理しやすくしかも安価で製造することが可能となり、おでん、焼き鳥、惣菜、弁当のおかず、オードブル、おせち料理に利用しやすくなる。
【００１１】
機械打ちが可能となり、量産化、自動化が可能となり、大幅なコストダウンが図れる。
【発明を実施するための最良の形態】
【００１２】
円錐型ドリルを用いる事により入口部は自動化に適した形状を持ち、かつ中間部分は挿通した串がしっかりと保持されるように鳥手羽元の骨が加工されている状態である。
【図面の簡単な説明】
【００１３】
【図１】鳥手羽元肉の断面図
【図２】鳥手羽元肉の骨にドリルが挿通した図
【図３】鳥手羽元肉の骨からドリルを抜いた図
【符号の説明】
【００１４】
１    鳥手羽元肉部
２    鳥手羽元肉の骨
３    串
４    円錐型ドリル
５    入口部
６    鳥手羽元肉の骨の中間部分
【図１】
2017192345.tif 000003
【図２】
2017192345.tif 000004
【図３】
2017192345.tif 000005
(57)【要約】【課題】  一般的に株式会社の支店網拡張の資金は株式による出資金もしくは金融機関借入金、自己資金などで解決しようとする、出資金は株式公開等の企業でないと不可能、金融機関借り入れは、いまだに担保提供が必要、自己資金は会社の体力維持のためなるべく社内留保しておきたい。また、借入等では通常は元本返済がすぐ始まり落ち着いた資金繰りとしての魅力が薄い。縛りの少ない資金調達が出来ない。【解決方法】以上の課題を解決する本発明は、以下の構成を持つT&ETシステムである。（１）委託者から資金を預かり、その資金で支店を開設し経営運営する。（２）支店の規模は、床面積２０〜２５坪の事務所を借りる。（３）事務所の定員は１５名とする。（４）支店の営業エリアは特に定めず、その支店の営業活動で売上が上がるたびにインセンティブを支払う方式とする。株式のように決算終了後利益に対して配当することと比べ実感的に会社の活動がわかりリターンも早い。【選択図】    なし【特許請求の範囲】
【請求項１】
本発明は、以下の構成を持つT&ETシステムである。
（１）委託者から資金を預かり、その資金で支店を開設し経営運営する。
（２）支店の規模は、床面積２０〜２５坪の事務所を借りる。
（３）事務所の定員は１５名とする。
（４）支店の営業エリアは特に定めず、その支店の営業活動で売上が上がるたびにインセンティブを支払う方式とする。
【発明の詳細な説明】
【技術分野】
【０００１】
本発明は、「資本と経営の分離」に基づく委託と預託のシステムに関するものである。
【背景技術】
【０００２】
一般的に株式会社の支店網拡張の資金は株式による出資金もしくは金融機関借入金、自己資金などで解決しようとする、出資金は株式公開等の企業でないと不可能、金融機関借り入れは、いまだに担保提供が必要である。
【発明の概要】
【発明が解決しようとする課題】
【０００３】
出資金は株式公開等の企業でないと不可能、金融機関借り入れは、いまだに担保提供が必要、自己資金は会社の体力維持のためなるべく社内留保しておきたい。また、借入等では通常は元本返済がすぐ始まり落ち着いた資金繰りとしての魅力が薄い。縛りの少ない資金調達が出来ない。
【課題を解決するための手段】
【０００４】
以上の課題を解決する本発明は、以下に示す構成を持つT&ETシステムである。
（１）委託者から資金を預かり、その資金で支店を開設し経営運営する。
（２）支店の規模は、床面積２０〜２５坪の事務所を借りる。
（３）事務所の定員は１５名とする。
（４）支店の営業エリアは特に定めず、その支店の営業活動で売上が上がるたびにインセンティブを支払う方式とする。
ただし、出資法第１条は、後日出資金を返還する旨を示して出資金を受け入れることを禁止しています。また、出資法第２条は銀行以外の者が業として預かり金をすることを禁止していますが、第１条第２条共に「不特定多数のものから」の金銭受け入れである場合に限定していますので、今回の発明は充分な理解を得たものに限定する必要がある。
【発明の効果】
【０００５】
株式のように決算終了後利益に対して配当することと比べ実感的に会社の活動がわかりリターンも早い。
【発明を実施するための形態】
【０００６】
主たる運用対象を不動産とした不動産事業に関するファンドは専門家によって運用され、営業から生み出される利益は投資家に即、分配されている。投資活動を円滑に進め、投資家に対して安定的に高い配当を行うことができる。本発明は、以下に示す構成を持つT&ETシステムである。
（１）委託者から資金を預かり、その資金で支店を開設し経営運営する。
（２）支店の規模は、床面積２０〜２５坪の事務所を借りる。
（３）事務所の定員は１５名とする。
（４）支店の営業エリアは特に定めず、その支店の営業活動で売上が上がるたびにインセンティブを支払う方式とする。
【０００７】
本発明は、「TRUST＝信頼して任せる」の「T」と、その信頼に基づいて職務を「ENTRUST＝信託」の「ET」、この二つの意味を含んだビジネスワードで、不動産会社の営業拠点を増やすための「資本と経営の分離」に基づく委託と預託のシステムです。
信頼の元で資金提供が行われ、その資金を預託されたものがその資金で支店網を構築し
その支店で営業活動した売上の度にインセンティブを支払う。定めた期間終了時には提供された資金を返却する。
【０００８】
ただし、出資法第１条は、後日出資金を返還する旨を示して出資金を受け入れることを禁止しています。また、出資法第２条は銀行以外の者が業として預かり金をすることを禁止していますが、第１条第２条共に「不特定多数のものから」の金銭受け入れである場合に限定していますので、今回の発明は充分な理解を得たものに限定する必要がある。
(57)【要約】【課題】従来の盲人による点字認識は手を使う。また、従来の、観測者が直接視認出来ない場所の、間接視認式対象物認識は直感的な対象物の位置認識が難しく誤認が生じやすい。【解決手段】挟むように振動する振動子を持つバイブレーターを複数個使用した触覚認識システムを使用し、盲人による手を使わない点字認識、また、観測者による直感的な対象物の位置認識を可能にする。【選択図】図２
2017010047.tif 000002
【特許請求の範囲】
【請求項１】
挟むように振動する振動子を持つバイブレーター。
【請求項２】
請求項１のバイブレーターを複数使用した触覚認識システム。
【発明の詳細な説明】
【技術分野】
【０００１】  本発明は、挟むように振動する振動子を持つバイブレーターを複数個使用した触覚認識システムに関する。
【背景技術】
【０００２】  本発明は、観測者の皮膚に接触させた振動子による触覚認識を目的とする。点字認識目的と対象物認識目的の二つがあり、以下、「点字：」は点字認識に関する、「対象：」は対象物認識に関する、そして記載無き場合は両方に共通するものである。【０００３】  従来のバイブレーターは、単に振動の有無を感知させるものである。【０００４】  点字：従来の、盲人による点字認識は、点字に対応した凹凸を手のひらで認識するものである。【０００５】  対象：従来の、観測者が直接視認出来ない場所の対象物認識は、鏡やカメラなどの間接視認によるものがほとんどである。
【先行技術文献】
【発明の概念】
【発明が解決しようとする課題】
【０００６】  上述したように本発明は、観測者の皮膚に接触させた振動子による触覚認識を目的とする。しかしながら、手以外の皮膚は比較的鈍感である。
【０００７】  従来のバイブレーターは、振動が外部に漏れやすい。
【０００８】  点字：従来の点字認識は盲人である観測者の手を必ず使う。
【０００９】  対象：しかしながら、従来の間接視認による対象物認識方法では、観測者は前方以外の対象物の直感的な位置認識が難しく、誤認が生じやすい。
【課題を解決するための手段】
【００１０】  上述したように、手以外の皮膚は比較的鈍感であり、虫が止まっても気付かないことが多い。しかし小さな蟻などが皮膚上を歩けば即座に感知する。本発明は、この虫の足の動きを応用した、挟むように振動する振動子を持つバイブレーターを複数個使用し、観測者の正確な触覚認識という効果を発揮する。
【００１１】  本発明は、振動子の周波数を変えることにより、振動の個別認識を容易にし、さらに同時複数個の振動認識を容易にするという効果を発揮する。
【００１２】  本発明のバイブレーターは、振動子が対向して振動するため外部への振動漏れが少ない、という効果を発揮する。
【００１３】  点字：そこで本発明は、観測者の手以外の皮膚を使って点字を認識することが可能なシステムを提供する。
【００１４】  対象：そこで本発明は、対象物の位置に対応した観測者の身体（例えば後方なら背中、下方なら椅子に座った腿の部分）の皮膚に接触させた振動子を振動させ、観測者が触覚認識するというシステムを提供し、観測者の直感的な対象物の位置認識を可能とする。
【発明の効果】
【００１５】  上述したように本発明は、挟むように振動する振動子を持つバイブレーター、及びこのバイブレーターを複数個使用した触覚認識システムを提供する。
【００１６】  上述したように本発明は、振動子の周波数を変えることにより、振動子の個別認識を容易にし、また音感による振動認識を可能にする。
【００１７】  点字：上旬したように本発明は、手を使わない点字認識を可能とする。
【００１８】  対象：上旬したように本発明は、観測者が直接視認出来ない対象物の直感的な位置認識を可能とする。
【図面の簡単な説明】
【００１９】
【図１】本発明の、バイブレーターの一概念図。
【図２】本発明の、観測者の背中の皮膚を使った場合の実施形態の一概念図。ただし、背中とは限らない。
【発明を実施するための形態】
【００２０】  以下、本発明の実施形態を、図１と図２に基づいて説明する。
【００２１】  図１においては、１は振動子、２は振動体、３は軸。図２においては、４はバイブレーターである。
【００２２】  以下、上記構成の動作を説明する。
【００２３】  図１において、一組の振動子１はバイブレーター内の振動体２により皮膚を挟むように対向して振動する。振動子１は２個一組とは限らず、３個以上でも同様の動作をする。
【００２４】  点字：図２において、１２個のバイブレーター４はそれぞれ１オクターブ内の１２音の内の１音で振動する。左右それぞれ６個一組が点字一文字に対応し、振動子の振動により観測者は点字を認識する。
【００２５】  対象：図２において、バイブレーター４は１２個とは限らない複数個である。対象物の方向に対応した振動子の振動により観測者は対象物を認識する。同時に観測者はそれぞれの振動子の振動の強弱と周波数により対象物との距離及び速度、対象物の大きさ及び個別等を認識する。
【符号の説明】
【００２６】  １    振動子
２    振動体
３    軸
４    バイブレーター
【図１】
2017010047.tif 000003
【図２】
2017010047.tif 000004
(57)【要約】【課題】マンションなどの集合住宅では、窓際ではない部屋については日中でも部屋が暗いため照明が必要となります。そのため、住宅よりも照明の電気使用量が多くなります。  本発明は、日中と夜間の電気使用量を大幅に削減することを提供する。【解決手段】日中は太陽光を採光機から、天気が悪い時や夜間は一つの強力な電気光源から集光機に採り入れて、プラスチック光ファイバーケーブルを伝い各室内へ照明をするプラスチック光ファイバーケーブル照明システム。【選択図】図１
2017010916.tif 000002
【特許請求の範囲】
【請求項１】
一つの強力な電気光源を設け、天気が悪い日中や夜間でも照明可能なプラスチック光ファイバーケーブル照明システム。
【発明の詳細な説明】
【技術分野】
【０００１】  本発明は、建物のプラスチック光ファイバーケーブル照明システムに関するものである。
【背景技術】
【０００２】  従来、建物の照明などは電気を使用して電線を伝わり照明器具で発光させております。
【先行技術文献】
【０００３】
【特許文献１】  特開２００９−２５２５８４号公報
【特許文献２】  特開２００８−２４３３７４号公報
【発明の概要】
【発明が解決しようとする課題】
【０００４】  建物内全室を、太陽光と一つの強力な電気光源をプラスチック光ファイバーケーブルで配線して照明することで、照明の電気使用量の飛躍的な改善が出来ます。
【課題を解決するための手段】
【０００５】  天気の良い日は、太陽光を採光機で集めます。天気が悪い日や夜間などは一つの強力な電気の光源を使用します。この光を電線の代わりにプラスチック光ファイバーケーブルを配線して伝え建物の全室への照明に致します。
以上の構成によりなるプラスチック光ファイバーケーブル照明システム。
【発明の効果】
【０００６】  天気の良い日は、太陽光が光源となります。天気が悪い日や夜間などは一つの強力な電気光源を使用致しますので照明の電気使用量の飛躍的な改善が出来ます。自然エネルギーも使用するため、環境にもやさしい照明システムとなります。
【図面の簡単な説明】
【０００７】
【図１】  本発明の概略図
【発明を実施するための形態】
【０００８】  以下、本発明の実施の形態を説明する。
（イ）集合住宅屋上に採光機（１）を設置する。採光機（１）から採り入れた光をプラス      チック光ファイバーケーブル（２）で伝える。プラスチック光ファイバーケーブル      （２）からの光で照明（３）を発光する。
（ロ）集合住宅屋上の建屋内に一つの強力な電気光源（４）を設置して集光機（５）から      採り入れた光をプラスチック光ファイバーケーブル（２）で伝える。プラスチック      光ファイバーケーブル（２）からの光で照明（３）を発光する。
本発明は以上のような構造である。
本発明を使用するときは、日中は太陽光を採光機（１）から採り入れてプラスチック光ファイバーケーブルに伝えて照明（３）を発光させる。悪天候や夜間には、一つの強力な電気光源（４）からの光を集光機（５）から採り入れてプラスチック光ファイバーケーブル（２）に伝えて照明（３）を発光させる。
【符号の説明】
【０００９】１  採光機、２  プラスチック光ファイバーケーブル、３  照明、
４  一つの強力な電気光源、５  集光機
【図１】
2017010916.tif 000003
(57)【要約】      （修正有）【課題】台所で使用する椅子が、置台としても使用できるキッチンチェアーを提供する。【解決手段】椅子１の下座席２の両端に開閉自在な上座席３を設けた。【選択図】図１
2017070690.tif 000002
【特許請求の範囲】
【請求項１】
椅子の下座席の両端に開閉自在な上座席を設けたキッチンチェアー。
【発明の詳細な説明】
【技術分野】
【０００１】  この発明は、主に台所で使用する椅子に関するものである。
【背景技術】
【０００２】  従来、台所で使用する目的に作られた椅子であるキッチンチェアーは、座るためだけの物であった。
【発明の概要】
【発明が解決しようとする課題】
【０００３】  これは、次のような問題点があった。
キッチンチェアーは、料理の作業の休憩やレシピを読むために座ることが多かったが、座ること以外の時は何も使えないため、キッチンチェアーは邪魔になっていた。無理してキッチンチェアーの座席に物を置こうとしても狭いため不安定で、また座席にクッションが張ってあると物を置くことさえ困難であった。さらに日本の台所は狭いため調味料、食材やレシピ本の置き場所にも困っていた。
本発明は、これらの問題点を解決するためになされたものである。
【課題を解決するための手段】
【０００４】  本発明は上記目的を達成するために、椅子の下座席に蝶番を利用して開閉自在に折り畳め広げられる上座席を設けた。
以上を特徴とするキッチンチェアーである。
【発明の効果】
【０００５】  本発明においては、料理の作業の休憩等に座ることができるだけでなく、上座席を広げると座席の倍の面積ができるため、調味料や食材等を置くことができるので座る時以外でも活用できる。そのため狭い台所での料理作業中でもキッチンチェアーが邪魔になることが少なくなる。また、上座席を広げた状態で下座席に座ると、上座席をサイドテーブルとしても使用できる。【０００６】  また、上座席にクッションを張って座り心地をよくすることもできる。【０００７】  さら室内の台所だけではなく、バーベキューする時の野外キャンプ用の椅子としても活用できる。キャンプ時はテーブルが少ないため、本考案の椅子は物置台としても又は座ってサイドテーブルとしても利用できる。
【図面の簡単な説明】
【０００８】
【図１】本発明の広げた状態を示す斜視図である。
【図２】本発明の折り畳んだ状態を示す斜視図である。
【発明を実施するための形態】
【０００９】  以下、本発明の実施の形態を図１と図２に基づいて説明する。
【００１０】  椅子１に固定されている下座席２の両端に蝶番４を利用して上座席３を取り付ける。上座席３は下座席２の上に開閉自在に折り畳むことができる。図２は上座席３を折り畳んだ状態の斜視図である。
【００１１】  上座席３を広げることによって面積を倍にすることができ、安心して物置台として座席の部分を活用することができる。図１は上座席３を広げた状態の斜視図である。広げた状態で座ってコーヒー等を飲むことも考慮し、上座席３の一部にコップが滑らないようにコップ置きの場所としてくぼみを設けても良い。
【００１２】  椅子に付属する背もたれのあるタイプについては、支柱があるため上座席３の一部を削らなければならない場合があるが背もたれがついて楽に座れる利点がある。椅子に背もたれのないタイプは、下座席２と同じ大きさの上座席３を設けることができるので、置台としての面積が広くとれる利点がある。
【００１３】  本発明を使用するときは、置台が必要ない時は上座席３を折り畳んで上座席３に座る。置台としてキッチンチェアーを使用するときは、両方の上座席３を広げて使用する。座席の倍近くの面積になっているので調味料や食材等を安心して置くことができる。
【００１４】  上座席３の座り心地をよくする目的で上座席３にクッションを張った場合、上座席３を広げるとクッション面は裏側となるため物を置くことに関して支障はきたさない。
【００１５】  また上座席３を広げた状態で座ると、両方に広げてある上座席３をコーヒーカップ等が置けるサイドテーブルとして使用できる。
【００１６】  なお本体である椅子１の材質は、パイプ製やスチール製や木製が考えられる。椅子１を座るか又は物置台として常に使用するなら折り畳み式でない固定式の椅子を、片付ける必要があるなら折り畳み式の椅子が便利である。
【符号の説明】
【００１７】    １  椅子
２  下座席
３  上座席
４  蝶番
【図１】
2017070690.tif 000003
【図２】
2017070690.tif 000004
(57)【要約】【課題】  瓶詰め食品を取り出しやすくするために、常に容器の中で直立状態のまま収納できる飲食用具。【解決手段】  容器の鉄製の蓋の裏側に着脱できるように、柄の先端にマグネットを設けたことを特徴とする飲食用具。【選択図】図２
2017070684.tif 000002
【特許請求の範囲】
【請求項１】
スプーンやフォーク等の飲食用具の柄の一部にマグネットを設けたことを特徴とするマグネット付き飲食用具。
【発明の詳細な説明】
【技術分野】
【０００１】本発明は、スプーンやフォーク等飲食用具の一部にマグネットを設けたマグネット付き飲食用具に関するものである。
【背景技術】
【０００２】従来、瓶詰め食品や食材等を取り出すときに使用したスプーン等の飲食用具は、容器の中で倒れたり、食品の中に埋もれたりすることがあった。
【発明の概要】
【発明が解決しようとする課題】
【０００３】従来より、次のような問題点があった。
（イ）調味料やジャムなど瓶詰めの食品や食材を取り出すためにスプーンなどを用いると、スプーンなどが容器の中で倒れたり食品の中に埋もれたりして、スプーン等の柄に食品や食材が付着することがあった。
（ロ）このため、スプーン等を取り出そうとすると手指に食品や食材が付着して不便であった。
（ロ）また、これを避けるために柄の長いスプーン等を使用すると蓋をすることができないので、容器内にほこりや雑菌が侵入したり酸化したりして味の低下や腐敗を招きやすかった。
本発明は以上の問題点を解決するためになされたものである。
【課題を解決するための手段】
【０００４】スプーンやフォーク等飲食用具の柄にマグネット等を設けることにより、瓶詰め容器等の鉄製蓋の内側に磁力での吸着が可能であることを特徴とする飲食用具。
【発明の効果】
【０００５】  本発明は、食品を保存した容器の中で倒れることがないため、スプーン等飲食用具の柄に食品などが付着せず、手指を汚すこと用具を使用できる。特に、瓶詰容器等の鉄製蓋の内側に磁力での吸着が可能なので、飲食用具は常に垂直状態を維持するため倒れない。
【図面の簡単な説明】
【０００６】
【図１】  本発明の斜視図である。
【図２】  本発明の使用状態を示した斜視図である。
【図３】  本発明の他の使用状態図である。
【発明を実施するための形態】
【０００７】  以下、本発明の実施の形態を説明する
（イ）飲食用具（１）の柄の先端部（２）にマグネット（３）を埋め込む。
（ロ）マグネットは、ネオジウム磁石等の磁力が強いものが望ましい。
（ハ）マグネットの腐食を避けるため、マグネットが露出しないように樹脂で完全に覆う。
（ニ）吸着部の樹脂の厚さは、磁力が低下しない程度の厚さにする。
本発明は、以上の構造よりなっている。
本発明を使用するときは、上記の飲食用具を食品保存容器の鉄（スチール）製の蓋の裏側に装着する。
このとき、飲食用具の柄の先端部（２）にはマグネット（３）があるため、その磁力で蓋（５）の裏側に吸着し、落下しない。
通常は飲食用具を取り付けた蓋（５）を、食品の入った容器（４）にかぶせて密閉する。
食品を取り出すときは、蓋（５）を開け、その裏側に取り付けた飲食用具（１）を取り外して食品を取り出す。
こうして、食品の入った容器の中で、磁石の作用により、飲食用具は常に蓋に垂直に吸着され、容器の中で倒れることがない。
この結果、用具の柄に食品が付着しにくいので手指を汚さずに用具や食品を取り出しやすく、食品を取り出すたびに頻繁に用具を洗ったり取り換えたりする必要もなくなる。
また、図３に示すように、用具をスプーン（１）のほか、フォーク（６）やトング等他の仕様にすることもできる。
【符号の説明】
【０００８】    １  飲食用具（スプーン）
２  柄
３  マグネット
４  容器
５  蓋
６  フォーク
【図１】
2017070684.tif 000003
【図２】
2017070684.tif 000004
【図３】
2017070684.tif 000005
(57)【要約】【課題】  本発明は、食事用自助具であって、把持ではなく掛持することを可能とする食事用自助具を提供することを目的とする。【解決手段】  本発明の食事用自助具は、手指を嵌挿可能とする穴を設けた複数の柄部（１Ａ，１Ｂ）を備えることによって、手指で安定して掛持することが可能である。さらに、本発明の食事用自助具は、食物保持部（２）と複数の柄部（１Ａ，１Ｂ）とが軸着されていることによって、様々な位置や角度で麻痺した手指に対応できるように、柄部（１Ａ，１Ｂ）の位置を回転させて調節することができる。【選択図】図２
2017070685.tif 000002
【特許請求の範囲】
【請求項１】
複数の柄部と食物保持部とを軸着した食事用自助具であって、当該柄部に手指を嵌挿可能な穴を設けたことを特徴とする食事用自助具。
【請求項２】
柄部を２〜５個備えた、請求項１記載の食事用自助具。
【発明の詳細な説明】
【発明の詳細な説明】
【技術分野】
【０００１】  本発明は、食事用自助具であって、把持ではなく掛持することを可能とする食事用自助具を提供するものである。
【先行技術文献】
【特許文献】
【０００２】
【特許文献１】特開２００３−２５９９５９号公報
【特許文献２】特開２０１５−１２８５５６号公報
【０００３】  特許文献１は、複数の柄を有するスプーン型自助具であって、スプーンの角度と柄の角度を自由に変えることができるスプーンを提供する。特許文献１記載の発明の効果は、スプーンの角度と複数の柄の角度をその人に合わせて調整し、老人や手の不自由な人、特に手の握力が弱い人でも自由な角度で食べ物や飲み物をこぼすことなく口に運ぶことができるというものである。【０００４】  特許文献２は、環状の持ち手を有する、平皿スプーン型自助具を提供する。特許文献２記載の発明は、手指を環状の持ち手に引っ掛けることによって、スプーンの使用を容易にしている。
【発明の概要】
【発明が解決しようとする課題】
【０００５】  手指の麻痺が進行すると、握力の低下はより深刻なものとなり、食事器具の把持はきわめて困難ないし不可能になる。たとえば脊椎損傷などによって引き起こされる手指の麻痺は、重症なものであれば、第一指から第五指のすべてが屈曲したまま動かず、握るという行為そのものができないという症状を引き起こすことがある。このような患者は、たとえ特許文献１のような従来の食事用自助具であっても、それらが把持を前提とするものである以上、使用できない。【０００６】  さらに、特許文献２のように環状の持ち手を有する食事用自助具は、単にこれを手指に引っ掛けてぶら下げているにすぎない。食事動作は、食物を掬う、口に運ぶ、口腔内に食物を放出するという一連の複雑な動作である。そうすると、特許文献２のような食事用自助具は、食事中に容易に手指から離れてしまい、重篤な手指の麻痺を有する患者にとっておよそ有用なものではない。
【課題を解決するための手段】
【０００７】  そこで、本発明は、食事用自助具を把持するのではなく、手指に引っ掛けて容易に脱落しないように使用可能な形状とすることを想到してなしたものである。具体的には、本発明は、複数の柄部と食物保持部とを軸着した食事用自助具であって、当該柄部に手指を嵌挿可能とする穴を設けたことを特徴とする食事用自助具を提供する。【０００８】  本発明の食事用自助具における食物保持部は、たとえばスプーンやフォーク、先割れスプーンなどの食物を保持するために用いられる通常の部分であればよい。本発明の食事用自助具における食物保持部は、使用者にとって便宜なように、たとえば先端に向かってねじれていてもよく、あるいは屈曲していてもよい。本発明の食事用自助具における食物保持部をどのような形状とするかは、当業者であれば容易に選択することができる。本発明の食事用自助具において、食物保持部は柄と軸着されていて回転可能であるから、食物保持部は２個以上、たとえば２〜３個であってもよく、たとえばスプーンおよびフォークの２個であってもよい。【０００９】  本発明の食事用自助具における柄部は、手指を嵌挿可能とする穴を設けるほかに特にその形状について限定はされないが、手で掛持するのに適した形状、たとえば略楕円の環状であることが好ましい。柄部が１個だけでは、柄部の穴に手指を嵌挿しても自助具が安定せず、自助具が容易に脱落してしまうので、本発明の食事用自助具は、柄部を２個以上、たとえば２〜５個、好ましくは２〜３個、より好ましくは２個備えている。柄部の数が多いほど本発明の食事用自助具を安定して掛持することができるが、柄部は手指を嵌挿するから、指の数である５個以上が必要なことはまれであり、また、多すぎるとかえって着脱が不便になる。手指の配置が第一指と第二ないし第五指とに大別され、２箇所で掛持することによって大きく安定することに鑑みれば、本発明の食事用自助具における柄部は２個でもよい。【００１０】  本発明の食事用自助具における食物保持部と複数の柄部とは、軸着されている。軸着はどのような手段であってもよく、たとえばネジで軸着することができる。たとえばネジを使用する場合には、ネジを緩めることでスムーズに柄部を回転させて使用前に適切な柄部の角度を定めることができ、ネジを絞めることで使用時の柄部のぐらつきを防ぐことができる。本発明の食事用自助具における食物保持部と複数の柄部とは、任意の順序で軸着されていてよく、たとえば、２個の柄部の間に食物保持部が軸着されていてよい。
【発明の効果】
【００１１】  本発明の食事用自助具は、手指を嵌挿可能とする穴を設けた複数の柄部を備えることによって、手指で安定して掛持することが可能である。さらに、本発明の食事用自助具は、食物保持部と複数の柄部とが軸着されていることによって、様々な位置や角度で麻痺した手指に対応できるように、柄部の位置を回転させて調節することができる。
【図面の簡単な説明】
【００１２】
【図１】本発明の実施形態における食事用自助具の正面図
【図２】本発明の実施形態における食事用自助具の柄部を回転させた正面図
【図３】本発明の実施形態における食事用自助具の側面図
【発明を実施するための態様】
【００１３】  本発明の実施形態を図１および２に基づいて説明する。図１は、本発明の実施形態における食事用自助具の正面図である。図２は、本発明の実施形態における食事用自助具であって、柄部を回転させた場合における正面図である。２個の柄部（１Ａ，１Ｂ）と１個の食物保持部（２）とがネジ（３）で軸着されている。柄部（１Ａ，１Ｂ）はいずれも略楕円状の環状構造となっており、環の内側が手指を嵌挿可能とする穴として機能する。２個の柄部（１Ａ，１Ｂ）と１個の食物保持部（２）とは、ネジ（３）を中心として、各々自在に回転する。
【符号の説明】
【００１４】  １Ａ，１Ｂ      柄部
２              食物保持部
３              ネジ
【図１】
2017070685.tif 000003
【図２】
2017070685.tif 000004
【図３】
2017070685.tif 000005
(57)【要約】      （修正有）【課題】蓋は、裏返して皿として代用できる形状とする。且つ、蓋の径より皿の径の方が大きくても使用できる形状とする。【解決手段】蓋は、凸状の摘みや凹凸状によるずれ止め縁を設けない替りに、およそ同心円の縁２の水平線に対する角度を約６０度にすると、縁２が摘みになり、横ずれしづらく且つ似た縁を形状に持つ蓋や皿に、薄く積み上げ易い。裏返せば皿になる（以後、皿蓋と呼ぶ）。皿蓋の縁に、浅い縁３（水平面までの隙間深さ約５ｍｍ×幅約２０ｍｍ）を設け先端を鋭角にすると、大きな皿７に皿蓋を乗せた時に隙間ができて、浅い縁３に指先がかかり摘み上げる事ができる。隙間が小さい為、密封性への影響が小さく隙間を塞ぐ手間が省ける。この隙間にスプーン８の柄を挟む事もできる。【選択図】図４
2017070679.tif 000002
【特許請求の範囲】
【請求項１】
本発明の蓋は、凸状の摘みや凹凸状によるずれ止め縁を設けない替りに、およそ同心円の縁の水平線に対する角度を約６０度にすると、縁が摘みになり、横ずれしづらく  且つ似た縁を形状に持つ蓋や皿に、薄く積み上げ易い。裏返せば皿になる（以後、皿蓋と呼ぶ）。
皿蓋の縁に、浅い縁（水平面までの隙間  深さ約５ｍｍ×幅約２０ｍｍ）を設け  先端を鋭角にすると、大きな皿に皿蓋を乗せた時に隙間ができて、浅い縁に指先がかかり摘み上げる事ができる。隙間が小さい為、密封性への影響も小さく隙間を塞ぐ手間が省ける。この隙間にスプーンの柄を挟む事もできる。
【発明の詳細な説明】
【技術分野】
【０００１】  本発明は、料理用皿の蓋の形状に関する。
【背景技術】
【０００２】  同心円の料理皿に使用する、従来の蓋には、凸状の摘みや凹凸状のずれ止め縁がついており、皿の径より、蓋の径の方が大きかった。
【発明の概要】
【発明が解決しようとする課題】
【０００３】  本発明の蓋は、裏返して皿としても代用でき、且つ  蓋の径より皿の径の方が大きくても使用できる形状とする。多用途に使用できるので、食器の個数を減らす。【０００４】
【課題を解決するための手段】
【０００５】  本発明の蓋は、同心円状の料理皿を裏返した形状にする為、図６の従来の蓋についていた凸状の摘み１１と凹凸状のずれ止め縁１０を設けない替りに、図１のようにおよそ同心円の縁２の水平面に対する角度を約６０度にすると、図３のように径の小さな皿に乗せた時、縁２が摘みになり、横ずれしづらく  且つ  図５のように似た縁を形状に持つ蓋や皿に、薄く積み上げ易い。図２のように裏返せば、皿になる（以後、皿蓋と呼ぶ）。【０００６】  皿蓋の縁に、図１のような浅い縁３（水平面までの隙間  深さ約５ｍｍ×幅約２０ｍｍ）を設け  先端を鋭角にすると、図４のように径の大きな皿７に皿蓋を乗せた時に、浅い縁３に指先がかかり摘み上げる事ができる。隙間が小さい為、密封性の影響が小さく隙間を塞ぐ手間が省ける。この隙間にスプーン８を挟む事もできる。浅い縁３は見る角度によって見つけづらい時があるので、目印９を付けると良い。図３のように、径の小さな皿６に皿蓋を乗せた時は、円周状の縁２を摘み上げる事ができる。
【図面の簡単な説明】
【０００７】
【図１】本発明の皿蓋
【図２】裏返した皿蓋
【図３】径の小さな皿に乗せた皿蓋
【図４】径の大きな皿に乗せた皿蓋
【図５】重ねた皿蓋
【図６】従来の蓋の断面図
【符号の説明】
【０００８】１  天井部
２  円周状の縁
３  浅い縁
４  天井部上の枠
５  テーブル
６  径の小さな皿
７  径の大きな皿
８  スプーン
９  浅い縁の目印
１０  凹凸状のずれ止め縁
１１  凸状の摘み
【図１】
2017070679.tif 000003
【図２】
2017070679.tif 000004
【図３】
2017070679.tif 000005
【図４】
2017070679.tif 000006
【図５】
2017070679.tif 000007
【図６】
2017070679.tif 000008
(57)【要約】【課題】洗濯後の靴下を干そうとすると、袋状の部分の布と布とがくっついたままで立体的に干せず、通気が確保できなかった。洗濯後の靴下の速乾は不可能だった。  洗濯後の靴下を乾きやすくするための靴下乾燥補助具を提供する。【解決手段】周壁が格子状で、ちょうど手榴弾の様な楕円筒部の一端に、同じく格子状の円筒部を垂直に連結させ、楕円筒部を足首から先、円筒部を足首と見立てて楕円筒部の先端から靴下を履かせるように装着して利用することを特徴とする靴下乾燥補助具。【選択図】図２
2017070693.tif 000002
【特許請求の範囲】
【請求項１】
周壁が格子状で、ちょうど手榴弾の様な楕円筒部の一端に、同じく格子状の円筒部を垂直に連結させ、楕円筒部を足首から先、円筒部を足首と見立てて、楕円筒部の先端から靴下を履かせるように装着して利用することを特徴とする靴下乾燥補助具。
【発明の詳細な説明】
【技術分野】
【０００１】  本発明は、洗濯後の靴下を立体的にし、通気を良くするための靴下乾燥補助具に関するものである。
【背景技術】
【０００２】  従来、洗濯後の靴下を干すには、靴下の一部を洗濯バサミで挟み平面的に吊るされる形で干されていた。
【発明の概要】
【発明が解決しようとする課題】
【０００３】  洗濯後の靴下を干そうとすると、袋状の部分の布と布とがくっついたままで立体的に干せず、通気が確保できなかった。洗濯後の靴下の速乾は不可能だった。
本発明は、以上の問題点を解決するためになされたものである。
【課題を解決するための手段】
【０００４】  周壁が格子状で、ちょうど手榴弾の様な楕円筒部の一端に、同じく格子状の円筒部を垂直に連結させ、楕円筒部を足首から先、円筒部を足首と見立てて、楕円筒部の先端から靴下を履かせるように装着して利用する。
以上の構成よりなる靴下乾燥補助具である。
【発明の効果】
【０００５】  従来、洗濯後の靴下をそのまま干しても乾きにくかったが、靴下の内部全体が大きく空洞になって通気が抜群に良くなるので、乾燥時間を短縮できる。
【図面の簡単な説明】
【０００６】
【図１】本発明の斜視図
【図２】本発明の使用状態を示す斜視図
【発明を実施するための形態】
【０００７】  以下、本発明の実施の形態を説明する。
周壁が格子状の楕円筒部（１）の一端に、同じく格子状の円筒部（２）を垂直に連結し一体化させる。
本発明は以上のような構造である。
本発明を使用するときは、洗濯後の靴下の中に、楕円筒部（１）を足首から先、円筒部（２）を足首と見立てて、楕円筒部（１）の先端から靴下（３）を履かせるように装着して、靴下（３）の履き口を洗濯バサミで挟み吊るして干す。
【符号の説明】
【０００９】    １  楕円筒部、        ２  円筒部、        ３  靴下
【図１】
2017070693.tif 000003
【図２】
2017070693.tif 000004
(57)【要約】【課題】  刺繍糸を使用するとき、刺繍糸と刺繍糸を束ねている色番号ラベルが一組ごとに常に一致するように、色番号ラベル入れを設け、そのすぐ下に刺繍糸掛けを設けた刺繍糸の整理・収納・保管用具を提供する。【解決手段】  布の上部にラベル入れ（１）を横並びに複数設け、ラベル入れ（１）のすぐ下に、ラベル入れ（１）と平行かつ対になるように刺繍糸掛け（２）をラベル入れ（１）と同数設けたことを特徴とする刺繍糸の整理・収納・保管用具。【選択図】図１
2017070700.tif 000002
【特許請求の範囲】
【請求項１】
シートの平面上部にラベル入れ（１）を横並びに複数設け、ラベル入れ（１）のすぐ下に、ラベル入れ（１）と平行かつ対になるように刺繍糸掛け（２）をラベル入れ（１）と同数設けたことを特徴とする刺繍糸整理・収納・保管用具。
【発明の詳細な説明】
【技術分野】
【０００１】  本発明は、刺繍糸の整理・収納・保管に関するものである。
【背景技術】
【０００２】  従来、刺繍糸の整理・収納・保管に関しては、販売店用の陳列ケースがあった。
また、個人用としては空き箱やプラスチックケース等に整理・収納して保管していた。
【先行技術文献】
【特許文献】
【０００３】
【特許文献】  特許情報プラットフォームで検索するも該当なしであった。
【発明の概要】
【発明が解決しようとする課題】
【０００４】  従来の整理・収納・保管方法では、刺繍糸を使用するとき及び、使用中の刺繍糸の整理に手間が要った。そのため、次のような問題点があった。
（イ）一般的によく使う糸の太さが２５番の刺繍糸は、６本の細い糸をゆるく撚り合わせたかせ糸になっており、色番号別に糸の太さ番号と色番号の二つのラベルで束ねられている。かせになった刺繍糸は必要な長さ分を切って取り出す時に絡まりやすく、ラベルが外れやすい。刺繍糸を何色も使用する場合、外れたラベルをその都度元通りにするのは手間が要り、また、刺繍に集中できないので、ラベルが外れたままになることがある。そのため、刺繍糸と色番号ラベルがバラバラになりやすく、刺繍糸の色番号の特定が難しくなり、図案を参照して刺繍するときや同じ刺繍糸を購入するときに不便であった。
（ロ）作品によっては刺繍糸を６本の束の中から２本、３本と取り分けて刺繍することもあり、取り分けた刺繍糸が余った場合に整理がしにくかった。
本発明は、これらの問題点を解決するためになされたものである。
【課題を解決するための手段】
【０００５】  布の内側の上部にラベル入れ（１）を横並びに複数設け、ラベル入れ（１）のすぐ下に、ラベル入れ（１）と平行かつ対になるように刺繍糸掛け（２）をラベル入れ（１）と同数設ける。さらに、ゴム紐（３）下部ポケット（４）折りたたみ用留め具（５）外ポケット（６）吊り下げ用紐（７）を設けた。
以上を特徴とする刺繍糸の整理・収納・保管用具である。
【発明の効果】
【０００６】  （イ）ラベル入れとそのすぐ下の刺繍糸掛けを上下一対として使用するので、刺繍糸とその刺繍糸を束ねている色番号ラベルを一組ごと常に一致した状態で整理・収納・保管することができる。この機能により、色番号ラベルを元通りにする手間が不要になり、刺繍に集中できる。また、刺繍糸掛けに収納したすべての刺繍糸の色番号が特定でき、色番号ラベルを紛失しないので追加購入時等の糸選びに便利である。
（ロ）刺繍糸は刺しやすい長さに切り揃えてから刺繍糸掛けに収納するので、刺繍糸が絡まりにくく、最後まで使用することでき無駄がなくなる。さらに、取り分けて余った刺繍糸を含め、刺繍糸の保有状況が一目で分かる。
【図面の簡単な説明】
【０００７】
【図１】  本発明の内側平面図である。
【図２】  本発明の外側平面図である。
【図３】  本発明の折たたみ図である。
【発明を実施するための形態】
【０００８】  以下、本発明を実施するための形態について説明する。
四角形の布の、平面内側の上部に透ける布でラベル入れ（１）を横並びに複数設ける。
ラベル入れ（１）のすぐ下に、ラベル入れ（１）と平行かつ対になるように滑らかな紐で刺繍糸掛け（２）をラベル入れ（１）と同数設ける。
刺繍糸掛け（２）の下方にゴム紐（３）をラベル入れ（１）と平行になるように横幅いっぱい設ける。
ゴム紐（３）の下方に透ける布で下部ポケット（４）を横幅いっぱい設ける。
折りたたみ用留め具（５）を縁に設ける。
布の外側に外ポケット（６）を横幅いっぱい設ける。
吊り下げ用紐（７）を設ける。
本発明は、以上のような構造である。
これを使用するときは、ラベル入れ（１）とそのすぐ下の刺繍糸掛け（２）を上下一対として使用する。
刺繍糸を色番号別に一組ごとに、色番号ラベルを（１）ラベル入れに収納し、刺しやすい長さに切り揃えた刺繍糸をそのすぐ下の刺繍糸掛け（２）に収納する。
色番号ラベルはラベル入れ（１）に収納したまま色番号が判読できる。また、刺繍糸は刺繍糸掛け（２）に収納したまま必要な本数を取り分けることができる。
刺繍糸掛け（２）に収納した刺繍糸が乱れないようにゴム紐（３）で押さえる。
下部ポケット（４）は取り分けて余った刺繍糸や刺繍針等を、外ポケット（６）は刺繍枠や図案等をそれぞれ収納できる。
折りたたみ用留め具（５）を留め付け、吊り下げ用紐（７）でフック等に掛けて保管できる。
【符号の説明】
【０００９】１  ラベル入れ
２  刺繍糸掛け
３  ゴム紐
４  下部ポケット
５  折りたたみ用留め具
６  外ポケット
７  吊り下げ用紐
【図１】
2017070700.tif 000003
【図２】
2017070700.tif 000004
【図３】
2017070700.tif 000005
(57)【要約】      （修正有）【課題】雨傘を閉じる時、手の濡れを少なく簡単に早く傘を閉じるための傘閉じ具を提供する。【解決手段】傘１の手元２の中棒に近い所にジャバラ状のキャップ４を取り付ける。キャップ４は上方に広がるようにジャバラの段数も複数にし、そのキャップ４の中に露先６が収納する。キャップ４を設けた事で簡単に早く閉じることを特徴とする傘閉じ具。【選択図】図１
2017070692.tif 000002
【特許請求の範囲】
【請求項１】
傘の手元の中棒に近い部分にジャバラ状のキャップを取り付けた傘閉じ具。
【発明の詳細な説明】
【技術分野】
【０００１】  本発明は、雨天時の傘を閉じる時の傘閉じ具に関するものである。
【背景技術】
【０００２】  従来、濡れた傘の生地を触り、ぐるりとひもで閉じるやり方である。手の濡れや場所によって荷物があったりすると時間がかかり洋服が濡れてしまうこともある。
なお、露先に男性用傘ではリング、女性用傘では紐がついているものがある。
【先行技術文献】
【特許文献】
【０００３】
【特許文献１】  特開２０１１−２３４８１４号公報
【特許文献２】  特開２０００−３４２３１５号公報
【発明の概要】
【発明が解決しようとする課題】
【０００４】  雨天時の傘を閉じようとする時、濡れた傘の生地を触りひもで留めるやり方だが、手の濡れを少なくし早くまとめることができない。
特許文献１と２の両方において、つけたり、はずしたりの動作は傘と分離しているので手間がかかりそうである。又雨上がりの子供の傘が紐で留めてない事も多く、傘と一体であれば紐より閉じやすい。安全性としての効果も期待できる。
既存の傘の手元に取り付けできるように、何種類かのゴムリングの形状で対応し、またキャップの径を小さくすることによって、傘と一体の使用がスムーズになされる。
本発明は、以上の問題点を解決するものである。
【課題を解決するための手段】
【０００５】  傘の手元の中棒に近い所にジャバラ状のキャップを取り付ける。キャップは上方に広がるようにジャバラの段数も複数にし、そのキャップの中に露先が収納されるようにする。
以上の構成よりなる傘閉じ具。
【発明の効果】
【０００６】  傘を閉じるとき、キャップの部分が傘に一体化しているので、濡れた生地部分の触る頻度も少なく、露先をまとめてキャップに収納させると閉じる事ができる。
既存の傘の手元に取り付けできるようにゴムリングを設ける。
家庭での傘の保有も多く、既存の傘に取り付ける事によって機能が満足できる。
【図面の簡単な説明】
【０００７】
【図１】  本発明の斜視図
【図２】  本発明のキャップを一部切欠いた使用状態を示す斜視図
【発明を実施するための形態】
【０００８】以下、本発明の実施の形態を説明する。
（イ）傘（１）の手元（２）にすべらないようにゴムリング（３）をつける。
（ロ）ゴムリング（３）の上にジャバラ状になったキャップ（４）を設ける。
（ハ）傘（１）の手元（２）に取り付けたキャップ（４）は生地部（５）に向けて広がる      ようにし、ジャバラの段数は複数段設けてある。
（ニ）露先（６）の先端がキャップ（４）に収納されるので傘（１）が広がらない。
本発明は以上のような構造である。
本発明を使用するときは、傘（１）を閉じるときに露先（６）を手で押え、キャップ（４）の外側を下から上に持ち上げる。ジャバラ状のキャップ（４）をスライドさせた事で露先（６）がキャップ（４）の中に収納され傘（１）が広がらない状態になる。
傘（１）を開く時は、キャップ（４）を縮めると収納していた生地部（５）が広がり使用することができる。
キャップ（４）は複数段で折り畳むことにより手元（２）の部分で平たい状態になる。
手元（２）の短い折り畳み傘ではなく、長傘で使用するものである。
【符号の説明】
【０００９】    １  傘
２  手元
３  ゴムリング
４  キャップ
５  生地部
６  露先
【図１】
2017070692.tif 000003
【図２】
2017070692.tif 000004